(57)【要約】      （修正有）【課題】滲出防止死体袋の提供。【解決手段】袋体１０の内部に安置空間が確保され、当該袋体には当該安置空間を開閉する密封パーツが設けられ、当該袋体の外側は防水処理面１０２、内側は体液を吸収する吸水面１０１を具え、上述の構成要素を経て、当該安置空間における水分が死体袋により吸収され、外界水分の当該死体袋内への浸入が防止され遺体保護の機能を有するような滲出防止死体袋。【選択図】図３
0003118238.tif 000002
【実用新案登録請求の範囲】
【請求項１】
袋体の内部に安置空間が確保され、当該袋体には当該安置空間を開閉する密封パーツが設けられ、当該袋体の外側は防水処理面を具え、当該袋体の内側は水分を吸収する吸水面を具えることを特徴とする、滲出防止死体袋。
【請求項２】
請求項１記載の滲出防止死体袋において、当該袋体の両側面には内向きに折り込まれたマチ部分が設けられ、当該マチ部分に連接する両辺に密着部が設けられていることを特徴とする、滲出防止死体袋。
【請求項３】
請求項２記載の滲出防止死体袋において、当該マチ部分は当該袋体と一体成形され、これによって安置空間の収納体積が留保されていることを特徴とする、滲出防止死体袋。
【請求項４】
請求項２記載の滲出防止死体袋において、当該密着部は高周波処理または熱シーリング処理を施されたことを特徴とする、滲出防止死体袋。
【請求項５】
請求項２記載の滲出防止死体袋において、当該密着部が縫合処理されていることを特徴とする、滲出防止死体袋。
【請求項６】
請求項１と２記載の滲出防止死体袋において、当該密封ツールが当該密着部と連接しているスライダーチャックであることを特徴とする、滲出防止死体袋。
【請求項７】
請求項１と２記載の滲出防止死体袋において、当該密封ツールが当該密着部と連接しているファスナーであることを特徴とする、滲出防止死体袋。
【請求項８】
請求項１記載の滲出防止死体袋において、当該防水処理面に水分および空気通過防止塗料が塗布されていることを特徴とする、滲出防止死体袋。
【請求項９】
請求項１記載の滲出防止死体袋において、吸水面が吸水性の高分子材でできていることを特徴とする、滲出防止死体袋。
【考案の詳細な説明】
【技術分野】
【０００１】
本考案は袋体の外側は防水処理面を具え、袋体の内側は吸水面を具える滲出防止死体袋に関するものである。
【背景技術】
【０００２】
伝染病は飛沫または空気を介して伝染し、また接触を要因としても伝染する。ゆえに、伝染病により病死した患者の遺体処理に当たり、死体密封による隔離を優先的に行わなければ、運搬過程において運搬作業員が伝染されることが考えられる。死体運搬車或いは救急車の空調系統や死体冷蔵保管所において、特に死体運搬車或いは救急車の空調系統においては、一旦伝染すると、伝染病の拡散をまねくおそれがある。同時に、遺体も破壊を受けないように死体袋により基本的な保護を受けるべき、という人間重視の立場から、当該死体袋は防水、気密機能を具備し、遺体処理が比較的容易な期間内における腐敗の進化速度を遅らせて、外観上の完全さを維持するようにされている。
【０００３】
特許文献１の生物防護用死体袋は一種の死体袋が提示されているが、それは二重構造の袋体であり、外層である不透明材質製の外袋と、内層である透明材質製の内袋から構成されている。当該不透明外袋は裏返し式オープン部分を具備し、不透明外袋のオープン部分を裏返すと、不透明外袋内部の透明内袋が現れ、当該透明内袋内へ死体を密封して死体を透明内袋内に隔離することができる。このほかにも、不透明外袋の両側にはそれぞれに数本の固定紐が設けられており、内部に安置した死体を固定するのに用いられる。
【０００４】
【特許文献１】台湾特許公告第５８３９６５号明細書
【０００５】
しかし、上述した従来の技術における構造はかなり複雑であり、製造コストも高いため、葬儀業者や救急機関にとって広く受け入れられるものではない。一般葬儀業者や救急機関が使用している死体袋は不織布製のものであり、原価はかなり低いが、死体を包み込む基本機能を有しているのみであり、滲出防止や気密保護の機能がなく、当該死体袋の臭気の拡散や体液滲出が発生しやすい。しかも、屋外における雨水や冷凍保管所の水分の侵入による当該死体袋内の遺体に対する損壊を阻止できない点は、決して無視できない。このような理由から、構造も簡単で製造も容易であり、滲出防止機能と気密機能を備えて、社会に広く受け入れられる死体袋が必要である。
【考案の開示】
【考案が解決しようとする課題】
【０００６】
本考案の目的は、外部の水分の袋体内部への侵入を防止し、袋体内部の体液を吸収しうるような死体袋を提供する。上述の目的を達成するために、本考案における滲出防止死体袋には、安置空間を有する袋体、当該袋体に設けられた当該安置空間を開閉するための密封パーツ、当該袋体の外側に設けられた防水処理面、当該袋体の内側に設けられた水分を吸収する吸水面が含まれており、本考案は、当該防水処理面により外界水分および空気の当該死体袋内への浸入が防止され、当該吸水面により当該袋体内部の水分が吸収されて、遺体が保護される機能を備えたものである。
【０００７】
本考案のもう一つの目的は、死体袋構造を簡略化し、製造コストを低減させて保存と使用に供する、ということである。本考案における防水処理面と吸水面は一体成形された袋体の外側と内側であり、異なる材質で構成されており、これによって構造の簡略化が図られている。
【課題を解決するための手段】
【０００８】
請求項１の考案は、袋体の内部に安置空間が確保され、当該袋体には当該安置空間を開閉する密封パーツが設けられ、当該袋体の外側は防水処理面を具え、当該袋体の内側は水分を吸収する吸水面を具えることを特徴とする、滲出防止死体袋としている。
請求項２の考案は、請求項１記載の滲出防止死体袋において、当該袋体の両側面には内向きに折り込まれたマチ部分が設けられ、当該マチ部分に連接する両辺に密着部が設けられていることを特徴とする、滲出防止死体袋としている。
請求項３の考案は、請求項２記載の滲出防止死体袋において、当該マチ部分は当該袋体と一体成形され、これによって安置空間の収納体積が留保されていることを特徴とする、滲出防止死体袋としている。
請求項４の考案は、請求項２記載の滲出防止死体袋において、当該密着部は高周波処理または熱シーリング処理を施されたことを特徴とする、滲出防止死体袋としている。
請求項５の考案は、請求項２記載の滲出防止死体袋において、当該密着部が縫合処理されていることを特徴とする、滲出防止死体袋としている。
請求項６の考案は、請求項１と２記載の滲出防止死体袋において、当該密封ツールが当該密着部と連接しているスライダーチャックであることを特徴とする、滲出防止死体袋としている。
請求項７の考案は、請求項１と２記載の滲出防止死体袋において、当該密封ツールが当該密着部と連接しているファスナーであることを特徴とする、滲出防止死体袋としている。
請求項８の考案は、請求項１記載の滲出防止死体袋において、当該防水処理面に水分および空気通過防止塗料が塗布されていることを特徴とする、滲出防止死体袋としている。
請求項９の考案は、請求項１記載の滲出防止死体袋において、吸水面が吸水性の高分子材でできていることを特徴とする、滲出防止死体袋としている。
【考案の効果】
【０００９】
本考案は当該防水処理面により外界水分および空気の当該死体袋内への浸入が防止され、当該吸水面により当該袋体内部の水分が吸収されて、遺体が保護される機能を備えたものである。死体袋構造を簡略化し、製造コストを低減させて保存と使用に供する。
【考案を実施するための最良の形態】
【００１０】
図１と図２に示すのは、本考案の透視図と断面図であるが、図に示されたように、本考案である滲出防止死体袋は、袋体１０の内部に安置空間３０が確保され、当該袋体１０には当該安置空間３０を開閉するための密封パーツ２０が設けられ、当該密封パーツ２０はエレメント２１とスライダー２２の組合せにより形成されており（一般ファスナーも可）、そのうち袋体１０の側面はどちらも内側に折り込まれたマチ部分１１があり、当該マチ部分１１は当該袋体１０と一体成形であり、当該安置空間３０の収納体積を決めるものであり、両側面の当該マチ部分１１の前後には運搬に供される取手１４が設けられており、当該袋体１０において当該マチ部分１１に連接する一対の辺には密着部１２が設けられ、当該密着部１２は高周波処理または熱シーリング処理（縫合方式でも可）されている。；本考案中における袋体１０の安置空間３０に死体が保存されていないとき、当該マチ部分１１は内側に向かって折り込まれ当該安置空間３０の体積を最小化させ、搬送および保存の便が図られ、；使用時に当たっては、スライダー２２をエレメント２１の一端に向かって引くと、当該安置空間が開かれて遺体（図中未表示）を当該袋体１０の中に安置でき、当該袋体１０の両側面にある一対のマチ部分１１より、当該安置空間３０における十分な収納体積が留保されていることから、あらゆる体形の死体にも適応できるようになっており、；当該袋体１０の表面には遺体の身元が識別できるネームプレート１３が設けられ、当該ネームプレート１３は透明プラスチック製であり熱シーリングまたは高周波処理を経ており、袋体１０が閉じられても、ネームプレート１３により当該遺体の身元および相関記録を明確且つ迅速に識別できるようになっている。
【００１１】
図３に示すのは、本考案における局部拡大図であるが、図に示すように、本考案における袋体１０の外側には防水処理面１０２が設けられ、当該袋体１０の内側には水分を吸収できる吸水面１０１が設けられており、そのうち当該防水処理面１０２は当該袋体１０の外部に防水性および密封性の塗料を塗布して形成され、当該吸水面１０１は吸水性の高い高分子材質から製造されている。本考案においては、当該防水処理面１０２により当該袋体１０への外界水分（雨水または死体を安置している冷凍保管所に発生する冷気等）の浸入が阻止され、同時に当該吸水面１０１により当該袋体１０中の遺体から発生した体液が吸収されることにより、当該袋体１０内部の乾燥が維持され、遺体処理が比較的容易な期間内における腐敗の進化速度を遅らせて、遺体を保護する。
【図面の簡単な説明】
【００１２】
【図１】本考案における透視図。
【図２】本考案における断面図。
【図３】本考案における局部拡大図。
【符号の説明】
【００１３】
１０    袋体
１０１  吸水面
１０２  防水処理面
１１    マチ部分
１２    密着部
１３    ネームプレート
１４    取手
２０    密封パーツ
２１    エレメント
２２    スライダー
３０    安置空間
【図１】
0003118238.tif 000003
【図２】
0003118238.tif 000004
【図３】
0003118238.tif 000005